(57)【特許請求の範囲】
【請求項１】
水を貯留する貯水室と、該貯水室内の貯水を加熱するヒータと、前記貯水室内の貯水を破砕してナノミスト及び負イオンを発生させる水破砕手段と、室内の空気を吸引し前記水破砕手段で発生させたナノミスト及び負イオンを含ませた空気を吹出口から外部へ放出させる送風機と、前記貯水室内の温度を検出する水温検出手段と、人体の皮膚温を検出する皮膚温検出手段と、前記ヒータの出力を制御すると共に前記送風機を制御し、前記ナノミスト及び負イオンを前記吹出口から外部へ放出させるミスト運転を行わせる制御手段とを備えたミスト発生装置において、前記皮膚温検出手段の検出温度に基づいて、前記吹出口から放出されるナノミスト及び負イオンを含んだ空気の目標放出温度を設定する設定手段と、前記貯水室内の貯水を前記ヒータで所定温度に加熱保持した時の水温に対する前記吹出口から放出されるナノミスト及び負イオンを含んだ空気の放出温度の関係を示すデータマップを予め記憶した記憶手段とを設け、前記ミスト運転の際に、前記設定手段は、前記目標放出温度を前記皮膚温検出手段の検出温度より所定温度高い温度に設定し、前記制御手段は、前記記憶手段に記憶されたデータマップを参照して、前記目標放出温度に対応する貯水温度になるように前記ヒータの出力を制御するようにしたことを特徴とするミスト発生装置。
【発明の詳細な説明】
【技術分野】
【０００１】
この発明は、ナノミスト及び負イオンを発生するミスト発生装置に関するものである。
【背景技術】
【０００２】
本出願人は先に下記の特許文献１にて、温かいナノミスト及び負イオンを発生するミスト発生装置を提供した。かかるミスト発生装置を図３を用いて説明すると、１０１はミスト発生装置本体、１０２は貯水室、１０３は貯水室１０２内の水を加熱するヒータ、１０４は定水位室、１０５は貯水室１０２と定水位室１０４を連通する通水路、１０６は定水位室１０４に水を供給する給水タンクであり、給水タンク１０６からの給水により貯水室１０２および定水位室１０４には常時一定水位の給水が貯水されているものである。また、１０７は貯水室１０２内の水の温度を検出する水温センサである。
【０００３】
１０８は貯水室１０２の貯水に下端を水没された筒状の回転体、１０９は回転体１０８の外周に間隔を有して位置し、回転体１０８と共に駆動モータ１１０の駆動で回転し、回転体１０８の回転による遠心力で押し上げられ飛散された水がぶつかる円筒状の多孔体、１１１は多孔体１０９の外周に位置し多孔体１０９から飛散される水がぶつかる送風筒、１１２は回転体１０８および多孔体１０９と共に駆動モータ１１０の駆動で回転する送風機で、駆動モータ１１０の駆動により、回転体１０８および多孔体１０９および送風機１１２が回転し、吸引口１１３から吸引された室内の空気がナノミスト及び負イオンを含んで、ナノミスト及び負イオンを含んだ空気が吹出口１１４から外部に放出されるものである。また、１１５は運転スイッチ等を備えた操作部１１６からの入力信号や、水温センサ１０７の検出信号を受けて、ヒータ１０３および駆動モータ１１０の動作を制御する制御手段である。
【０００４】
次に、このミスト発生装置１０１において、ミスト運転について説明すると、ミスト運転中は、水温センサ１０７の検出する水温に基づいて、ヒータ１０３をＯＮ／ＯＦＦさせて、貯水室１０２内の一定水位の貯水を設定温度に保持し、駆動モータ１１０の駆動による回転体１０８の回転で、設定温度に加熱された貯水室１０２内の貯水を、回転体１０８の回転により回転体１０８下端から遠心力で押し上げて飛散させ、多孔体１０９および送風筒１１１にぶつけて破砕し微細化することで、温かいナノミスト及び負イオンを発生させ、送風機１１２の回転で、温かいナノミスト及び負イオンを含んだ空気を一定の放出温度で吹出口１１４から外部へ放出するものである。
【０００５】
前記ミスト発生装置１０１は、人の顔に直接ナノミストと負イオンを当てる美顔器として使用してもよく、ミスト発生装置１０１を美顔器として使用する場合は、吹出口１１４の近くに顔を近づけて、一定の放出温度のナノミスト及び負イオンを含んだ空気を浴びるものであった。
【先行技術文献】
【特許文献】
【０００６】
【特許文献１】特願２０１０−２８０３３９号
【発明の概要】
【発明が解決しようとする課題】
【０００７】
ところで、この従来のミスト発生装置１０１を美顔器として使用する場合、吹出口１１４からは一定の放出温度のナノミストおよび負イオンを含んだ空気が放出されているが、そのミストを浴びる時のユーザの顔の皮膚温は状況によって異なり、例えば、外出して帰宅した後にミストを浴びようとした時、前記放出温度がユーザの顔の皮膚温に比べて低いと、顔の毛穴を引き締めてしまい、顔肌へのナノミストの浸透を抑制するおそれがあった。
【課題を解決するための手段】
【０００８】
この発明は上記課題を解決する為に、特にその構成を、水を貯留する貯水室と、該貯水室内の貯水を加熱するヒータと、前記貯水室内の貯水を破砕してナノミスト及び負イオンを発生させる水破砕手段と、室内の空気を吸引し前記水破砕手段で発生させたナノミスト及び負イオンを含ませた空気を吹出口から外部へ放出させる送風機と、前記貯水室内の温度を検出する水温検出手段と、人体の皮膚温を検出する皮膚温検出手段と、前記ヒータの出力を制御すると共に前記送風機を制御し、前記ナノミスト及び負イオンを前記吹出口から外部へ放出させるミスト運転を行わせる制御手段とを備えたミスト発生装置において、前記皮膚温検出手段の検出温度に基づいて、前記吹出口から放出されるナノミスト及び負イオンを含んだ空気の目標放出温度を設定する設定手段と、前記貯水室内の貯水を前記ヒータで所定温度に加熱保持した時の水温に対する前記吹出口から放出されるナノミスト及び負イオンを含んだ空気の放出温度の関係を示すデータマップを予め記憶した記憶手段とを設け、前記ミスト運転の際に、前記設定手段は、前記目標放出温度を前記皮膚温検出手段の検出温度より所定温度高い温度に設定し、前記制御手段は、前記記憶手段に記憶されたデータマップを参照して、前記目標放出温度に対応する貯水温度になるように前記ヒータの出力を制御するものとした。
【発明の効果】
【０００９】
この発明によれば、ミスト運転の際に、設定手段は、ユーザの皮膚の温度状態に合わせた目標放出温度を設定することができ、制御手段は、吹出口から放出されるナノミストと負イオンを含んだ空気の放出温度が、皮膚温より所定温度高い目標放出温度となるようにヒータの出力を制御することで、確実に顔を温めて毛穴を開かせ、顔肌へのナノミストの浸透を促進することができるものである。
【図面の簡単な説明】
【００１０】
【図１】この発明の一実施形態のミスト発生装置を示す概略構成図。
【図２】同一実施形態のミスト発生装置の要部ブロック図。
【図３】従来のミスト発生装置を示す概略構成図。
【発明を実施するための形態】
【００１１】
次に、この発明の一実施形態のミスト発生装置を図１に基づき説明する。
１は室内の空気清浄や加湿、人の顔に直接ナノミストと負イオンを当てて美顔するミスト発生装置本体で、中央部には蓋体２に固定され吸引口３から吸引された室内空気を、中央で回転駆動するシロッコファンからなる送風機４まで案内する円筒状の案内筒５が備えられ、この案内筒５には、送風機４を覆うように送風機４下方まで垂下した送風筒６が設けられている。
【００１２】
７は前記案内筒５を覆った処理室で、処理室７の下部には円形椀状でアルミダイキャスト製の貯水室８が設けられ、この貯水室８には給水手段としての給水タンク９がセットされた定水位室１０が通水路１１を介して連通しており、給水タンク９は給水を落差方式で供給することで、貯水室８を常時一定水位に保つようにしているものである。また、１２は定水位室１０内に設けられ、貯水室８および定水位室１０に一定水位以上の貯水があるときに水位有りを検出する水位検出信号を出力する水位検出手段としてのフロートセンサである。
【００１３】
１３は貯水室８下方で貯水室８を支持する駆動手段としての駆動モータで、全周をカバー体１４で覆われ装置本体１の底部を構成する基板１５に固定されており、さらにカバー体１４の外周壁に外方へ突出した樋状の流水溝１６を一周形成している。
【００１４】
１７は貯水室８の貯水に下部を水没させ、この貯水室８を貫通して送風機４を回転させる駆動軸１８に軸支された筒状の回転体で、この回転体１７は中空逆円錐形で上方に向かって径が徐々に拡大するものであり、回転体１７が回転することによりこの回転の遠心力で貯水室８の貯水を汲み上げ回転体１７の外壁および内壁を伝わせて押し上げて、回転体１７の外壁を伝わせて押し上げた貯水を周囲に飛散させると共に、回転体１７の内壁を伝わせて押し上げた貯水を回転体１７の上端に形成された複数の飛散口１９から周囲に飛散させるものである。
【００１５】
２０は回転体１７の上部外周に所定間隔を保持して位置し、回転体１７と共に回転する円筒状の多孔体で、多孔体２０にはその全周壁に多数のスリットや金網やパンチングメタル等からなる多孔部２１が形成されており、回転体１７の回転による遠心力で汲み上げた貯水を空気と共に多孔部２１を通過させたり、ぶつけて破砕させることで、水の粒子を微細化してナノメートル（ｎｍ）サイズのミストを生成すると共に、水の粒子の微細化によるレナード効果で負イオンを発生させるものであり、また、多孔部２１を通過した水の粒子は、さらに多孔体２０の外周の送風筒６の内壁に衝突して破砕され微細化されるものであり、前記送風筒６と、前記回転体１７を回転させる駆動モータ１３と、回転体１７と、回転体１７と共に回転する多孔体２０とから水破砕手段が構成されているものである。
【００１６】
２２は貯水室８外周を巻回して備えられ貯水室８内の貯水を加熱する加熱手段としてのヒータ、２３は貯水室８内の貯水の温度を検出するサーミスタからなる水温検出手段としての水温センサである。
【００１７】
２４は送風筒６や多孔体２０の下端と対向して貯水室８上面を覆った皿状の水流阻止手段で、中央部には回転体１７の挿通穴２５が形成されており、この挿通穴２５から外周に延びる支持片２６によって水面が区画されることで、回転体１７の回転で回転しようとする水流を阻止し、回転体１７の回転による遠心力の作用で容易に水流が回転体１７内外周を上昇できるようにしたものである。なお、この水流阻止手段２４は、上方の送風筒６や多孔体２０にぶつかり微細化されなかった比較的大粒の水滴を受けることで、この水滴が直接貯水室８水面に落下して発生するバシャバシャという落下音をも阻止することができるものであり、そのために外周から中央部の挿通穴２５に向かって緩やかに下り傾斜しており、水滴を確実に自然なかたちで貯水室８に戻すことができるものである。
【００１８】
２７は回転体１７と多孔体２０の回転により発生したナノミストと負イオンとを、送風機４の駆動で処理室７上部の吹出口２８から放出させる流通路で、この流通路２７は送風筒６と水流阻止手段２４との隙間から、処理室７と案内筒５、送風筒６間を上昇して吹出口２８に向かう流路から構成されている。
【００１９】
２９は貯水室８と連通している通水路１１に備えられ常時閉弁側に押圧されている排水弁で、給水タンク９が定水位室１０にセット（収納）されることで、圧縮バネ（図示せず）によって常時押し上げられているロット３０が押し下げられて、ロット３０の下端が係止金具３１をロックして排水弁２９が閉弁状態とされ、給水タンク９がセットされている時は貯水室８内の残水の排水を確実に阻止するものであり、給水タンク９が取り去られることで、ロット３０が圧縮バネによって上方に押し上げられ、係止金具３１のロックが解除されて、排水弁２９は開弁可能状態となるものである。
【００２０】
３２は貯水室８内の残水の排水を受ける上面開放の排水トレーで、ミスト発生装置本体１内に出し入れ自在に備えられ、正面には手掛け部３３が形成されており、その容積は貯水室８の残水を十分に収容できる大きさとしているものである。また、この排水トレー３２は内方後方に突出壁３４が形成され、排水レバー３５が下げられると係止金具３１が排水弁２９を押圧して開弁させ、その時、排水レバー３５の下端が突出壁３４より下方で且つ外側に位置し、排水中に排水トレー３２が抜き取られるのを突出壁３４と排水レバー３５が係合することで防止するものであり、排水が終了し排水レバー３５を引き上げて元に戻せば、係止金具３１の押圧が解除されて排水弁２９は閉弁され、排水トレー３２は容易に引き抜かれて、中に溜められた排水を台所等へ廃棄できるものである。
【００２１】
３６は駆動軸１８が貫通した貯水室８とカバー体１４との間の駆動軸１８途中に備えられた傘状の遮蔽板で、貯水室８から漏れた水が駆動軸１８部分を伝わって駆動モータ１３内に浸入するのを防止するものである。
【００２２】
３７は給水タンク９の給水口キャップで、内装した弁機構（図示せず）を固定された支持部（図示せず）で押し上げられることで給水タンク９から定水位室１０に給水されるものである。また、３８は給水タンク９を出し入れする時に開閉するタンク蓋、３９は蓋体２を着脱するための持ち手、４０は吹出口２８に備えられナノミストと負イオンの吹き出し方向の変更を行う風向板である。
【００２３】
４１は装置本体１正面に設けられ、人体の皮膚温、特に顔面部の皮膚温を検出する皮膚温検出手段としての皮膚温センサで、この皮膚温センサ４１は赤外線センサにより構成されているものである。また、４２は運転スイッチ等を備えた操作部４３からの入力信号や、フロートセンサ１２、水温センサ２３、皮膚温センサ４１の検出信号を受けて、ヒータ２２および駆動モータ１３の動作を制御する制御手段である。
【００２４】
前記制御手段４２は、貯水室８内の貯水を所定の温度に加熱する時に単純にヒータ２２をＯＮまたはＯＦＦさせてヒータ２２の出力を制御するか、もしくは、ヒータ２２への通電量を制御して、ヒータ２２の出力を段階的または無段階に可変制御するヒータ制御手段４４と、駆動モータ１３の動作を制御するモータ制御手段４５と、後述するミスト運転中に皮膚温センサ４１の検出する皮膚温度に基づいて、吹出口２８から放出されるナノミストと負イオンを含んだ空気の目標放出温度を設定する設定手段４６と、予め行った試験により、貯水室８内の貯水をヒータ２２で所定温度に加熱保持した時の水温に対する吹出口２８から放出されるナノミストおよび負イオンを含んだ空気の放出温度の関係を示すマップデータを予め記憶した記憶手段４７とを備えているものである。なお、前記設定手段４６は、前記目標放出温度を皮膚温センサ４１の検出する皮膚温度より所定温度高い温度に設定するものであり、皮膚温度より所定温度高い温度とは、吹出口２８から放出されるナノミストと負イオンを含んだ空気が皮膚に触れた時に不快と感じない程度の皮膚温度より僅かに高い温度である。
【００２５】
次に、図１に示す一実施形態のミスト発生装置１において、美顔器として使用する場合の動作を説明する。
前記操作部４３の運転スイッチがＯＮされると、ヒータ制御手段４４によりヒータ２２がＯＮされて貯水室８内の貯水が加熱制御されると共に、モータ制御手段４５により駆動モータ１３が駆動され、ナノミストおよび負イオンを発生させて吹出口２８から放出するミスト運転が実行されるものである。
【００２６】
前記ミスト運転中は駆動モータ１３の駆動により駆動軸１８に同軸で固定された送風機４および回転体１７が回転駆動され、送風機４の回転では、吸引口３から吸引される室内空気を案内筒５へ案内して吸引した後、処理室７下方に放出する。
【００２７】
一方、回転体１７の回転では、加熱された貯水室８内の貯水が、回転体１７下端の回転により汲み上げられ、遠心力で回転体１７の外壁および内壁を伝って押し上げられて上昇し、回転体１７の外壁を伝わせて押し上げた貯水を外方に飛散されると共に、回転体１７の内壁を伝わせて押し上げた貯水を回転体１７の上端に形成された複数の飛散口１９から外方に飛散され、そして周囲に飛散された貯水は、回転体１７の上部外周に所定間隔を保持して位置し、回転体１７と共に回転する多孔体２０の多孔部２１に、ぶつかって破砕したり、多孔部２１を通過したものはこの外周の送風筒６の内壁に衝突して微細化される。
【００２８】
この時、回転体１７の回転によって円形で抵抗がない貯水室８内の貯水が、回転体１７と同方向に回転する水流を形成しようとするが、水流阻止手段２４の支持片２６が水面に没して抵抗となり、回転する水流の形成が阻止されるので、遠心力が十分に作用して貯水が回転体１７の周壁上を押し上げられて、上記したように良好に破砕されるものである。
【００２９】
そして、この加熱された貯水の破砕と微細化によりナノミストを生成すると共に、レナード効果で負イオンを発生させ、発生したナノミストと負イオンを上記した送風機４の処理室７下方へ向かう送風で一旦水流阻止手段２４にぶつけて、大きくて重いミストを水流阻止手段２４に落下させて除去した後、微細なナノミストのみと負イオンを流通路２７を介して上部の吹出口２８から風向板４０で設定された吹き出し方向へ放出するものである。
【００３０】
ここで、吹出口２８の近くに顔を近づけた状態でナノミスト及び負イオンを上記のミスト運転中の制御を詳細に説明すると、前記ミスト運転の際、設定手段４６は皮膚温センサ４１で検出された皮膚温度に基づいて、吹出口２８から放出されるナノミストと負イオンを含んだ空気の目標放出温度を、皮膚温センサ４１で検出された皮膚温度より所定温度、例えば２℃高い温度に設定し、ヒータ制御手段４４は、記憶手段４７に記憶されたマップデータを参照して、水温センサ２３で検出される貯水室８内の貯水温度が、設定手段４６で設定された目標放出温度に対応する貯水温度になるようにヒータ２２の出力を制御するものである。
【００３１】
このように、設定手段４６は、ユーザの皮膚の温度状態に合わせた目標放出温度を設定することができ、ヒータ制御手段４４は、吹出口２８から放出されるナノミストと負イオンを含んだ空気の放出温度を、皮膚温センサ４１で検出された皮膚温より所定温度高い目標放出温度になるようにヒータ２２の出力を制御することで、確実に顔を温めて毛穴を開かせ、顔肌へのナノミストの浸透を促進することができるものである。
【００３２】
さらに、吹出口２８から放出されるナノミストは、顔の無数の小さな毛穴から顔肌に入り込み、肌の保水力を高めると共に肌内の不純物を取り除くものであり、負イオンは、肌表面の老廃物を除去し綺麗でつやのある肌を取り戻せるようにするものであり、精神的にもリラックスして楽しみながら毎日繰り返し行えるものである。
【００３３】
なお、本発明は先に説明した一実施形態に限定されるものでなく、本実施形態では、送風機４および回転体１７は駆動モータ１３の駆動軸１８で同軸に固定され、駆動モータ１３の駆動により同時に回転駆動できる構成となっているが、送風機４を回転駆動させる駆動モータ、回転体１７を回転駆動させる駆動モータをそれぞれ別に保有させ、送風機４と回転体１７を独立して回転駆動できる構成としてもよいものである。
【００３４】
また、本実施形態では、吹出口２８の近くに顔を近づけた状態で行われるミスト運転の際に、皮膚温センサ４１で検出された皮膚温度より所定温度高い温度のナノミスト及び負イオンを含んだ空気を放出するようにしているが、ミスト運転中に皮膚温センサ４１で人体の皮膚温が検出できなくなった場合は、人が居なくなったと判断してヒータ２２をＯＦＦすると共に駆動モータ１３の駆動を停止してミスト運転を一時停止するようにしてもよく、そうすることで、ユーザが少し席を外した場合でも無駄な電力消費を抑えることができるものである。
【符号の説明】
【００３５】
４  送風機
６  送風筒
８  貯水室
１３  駆動モータ
１７  回転体
２０  多孔体
２２  ヒータ
２３  水温センサ
２８  吹出口
４１  皮膚温センサ
４２  制御手段
４６  設定手段
４７  記憶手段
【図１】
0005684669.tif 000002
【図２】
0005684669.tif 000003
【図３】
0005684669.tif 000004